(57)【要約】      （修正有）【課題】熱交換器で発生したドレン水が室内機の筐体外部へ飛散することを防止できる空気調和機を提供する。【解決手段】熱交換器３０が蒸発器として機能するとき、シロッコファン２０から吹き出された空気の量が最も多くなる箇所に合せて配置されている上側サブ熱交換部３０ｃで発生するドレン水Ｗの多くは、上側サブ熱交換部３０ｃを通過する空気によって上側サブ熱交換部３０ｃの前方へ向かって流れる。上側サブ熱交換部３０ｃの前方では、上側サブ熱交換部３０ｃの後方と比べてシロッコファン２０から吹き出された空気の量が少ない。これにより、上側サブ熱交換部３０ｃの下流側端部３０ａｅに到達したドレン水Ｗは、重力によって上側熱交換部３０ａの空気流出面前端部３０ａ１→下側熱交換部３０ｂ→下側サブ熱交換部３０ｄと流れ、下側サブ熱交換部３０ｄの空気流出面３０ｄｃから下方に滴下してドレンパン７０で収集される。【選択図】図４
2018132220.tif 000002
【特許請求の範囲】
【請求項１】
筐体と、送風ファンと、熱交換器を有し、
前記筐体は、同筐体内部に空気を取り込む筐体吸込口と、前記筐体内部から空気を放出する筐体吹出口を有し、
前記送風ファンは、前記筐体内部の前記筐体吸込口の下流側に配置され、
前記熱交換器は、前記送風ファンと前記吹出口の間に配置される室内機を有する空気調和機であって、
前記熱交換器は、上側熱交換部と、下側熱交換部と、サブ熱交換部と、前記上側熱交換部と前記下側熱交換部を側面視でＶ字形状となるように前記上側熱交換部の端部と前記下側熱交換部の端部を連結する連結部を有し、
前記連結部は、前記筐体吹出口側に配置され、
前記サブ熱交換部は、前記送風ファンにより前記上側熱交換部に送風された空気が同上側熱交換部から流出する空気流出面の上に重なり、
前記送風ファンによる空気の流れが、前記上部熱交換部および前記サブ熱交換部に向かうように、前記送風ファンおよび前記熱交換器を配置する、
ことを特徴とする空気調和機。
【請求項２】
前記連結部では、前記送風ファンにより前記下側熱交換部に送風された空気が同下側熱交換部に流出する空気流入面の上に前記上側熱交換部の前記筐体吹出口側の端部を乗り上げるように前記上側熱交換部と前記下側熱交換部が重なり、前記上側熱交換部の前記筐体吹出口側の上端よりも前記下側熱交換部の前記筐体吹出口側の上端が上方に突出する、
ことを特徴とする請求項１に記載の空気調和機。
【発明の詳細な説明】
【技術分野】
【０００１】
本発明は、送風ファンの風下側に熱交換器を配置する室内機を有する空気調和機に関する。
【背景技術】
【０００２】
送風ファンの風下側に熱交換器を配置する室内機を有する空気調和機としては、ダクト型空気調和機がある。例えば、特許文献１に記載のダクト型空気調和機は、室内機が建屋の天井面と部屋の天井面の間の空間に設置されるものであり、屋外に設置される室外機と冷媒配管で接続されて、室外機と室内機の間で冷媒を循環させて部屋の空気調和を行う。
【０００３】
室内機は、部屋の天井面に設けられた吸込グリルと吸込ダクトで接続される筐体吸込口と、部屋の天井面に設けられた吹出グリルと吹出ダクトで接続される筐体吹出口を有する筐体を有する。筐体の内部には送風ファンと熱交換器が格納されており、筐体吸込口の下流側に送風ファンが配置され、送風ファンと筐体吹出口の間に熱交換器が配置されている。
【０００４】
送風ファンはシロッコファンであり、羽根車とこの羽根車を収納する渦巻き状のケーシングを有する。このケーシングには、羽根車の回転によりケーシングの内部に空気を取り込む吸込口と、羽根車の回転によりケーシングの内部から熱交換器に向かって空気を吹き出す吹出口が設けられる。
【０００５】
熱交換器は、平板状に形成された上側熱交換部と下側熱交換部が側面視でＶ字形状に組み合わされて連結されている。この熱交換器は、上側熱交換部と下側熱交換部の連結部（Ｖ字形状の頂点部）が、筐体吹出口側に突出するように配置、つまり、送風ファンによって熱交換器に送風される空気の流れの風下側に配置されている。
【先行技術文献】
【特許文献】
【０００６】
【特許文献１】特開２０１６−１６１１５９号公報
【発明の概要】
【発明が解決しようとする課題】
【０００７】
上述した上側熱交換部と下側熱交換部の連結部では、例えば、下側熱交換部の空気の流入面の上に上側熱交換部の下端を乗り上げるように、上側熱交換部と下側熱交換部が重ねられる。従って、連結部では上側熱交換部の上端が筐体吹出口側に突出する。また、送風ファンから吹き出される空気が熱交換器の連結部に向かうように、つまり、熱交換器の連結部付近を通過する空気の量が最も多くなるように、送風ファンと熱交換器が配置される。
【０００８】
空気調和機で冷房運転を行うと、蒸発器として機能する室内機の熱交換器でドレン水が発生する。このとき、上側熱交換部で発生したドレン水の大部分は、上側熱交換部に流入する風や重力によって上側熱交換部のフィンを伝って下方に滴下して、あるいは、前方の連結部に流れて下側熱交換部に到達し、下側熱交換部のフィンを伝って下方へ滴下して、熱交換器の下方に配置されたドレンパンに滴下する。
【０００９】
しかし、上側熱交換部で発生したドレン水の一部は、上側熱交換部に通過する風によって上側熱交換部の連結部側の端部に達する。このとき、熱交換器の連結部付近を通過する空気の量が最も多くなるように、送風ファンと熱交換器が配置されていれば、連結部付近を流れる空気によって上側熱交換部の連結部側の端部に達したドレン水が筐体吹出口へと飛散し、吹出ダクトと吹出グリルを介して部屋に滴下する恐れがあった。
【００１０】
本発明は、以上述べた問題点を解決し、熱交換器で発生したドレン水が室内機の筐体外部へ飛散することを防止できる空気調和機を提供することを目的とする。
【課題を解決するための手段】
【００１１】
本発明は、上述の課題を解決するものであって、本発明の空気調和機は、筐体と送風ファンと熱交換器を有し、筐体は、筐体内部に空気を取り込む筐体吸込口と筐体内部から空気を放出する筐体吹出口を有し、送風ファンは、筐体内部の筐体吸込口の下流側に配置され、熱交換器は、送風ファンと吹出口の間に配置される室内機を有する。熱交換器は、上側熱交換部と、下側熱交換部と、サブ熱交換部と、上側熱交換部と下側熱交換部を側面視でＶ字形状となるように上側熱交換部の端部と下側熱交換部の端部を連結する連結部を有する。連結部は筐体吹出口側に配置され、上側サブ熱交換部は上側熱交換部の空気の流出面の上に重なる。そして、送風ファンによる空気の流れがサブ熱交換部に向かうように、送風ファンおよび熱交換器を配置する。
【発明の効果】
【００１２】
本発明の空気調和機は、送風ファンによる空気の流れが、上側熱交換部の空気の流出面の上に重ねて配置されるサブ熱交換部に向かうように、送風ファンおよび熱交換器を配置する。これにより、熱交換器で発生したドレン水が室内機の筐体外部へ飛散することを防止できる。
【図面の簡単な説明】
【００１３】
【図１】本発明の実施形態における、室内機の設置状態図である。
【図２】本発明の実施形態における室内機の説明図であり、（Ａ）は外観斜視図、（Ｂ）は天板を取り外した状態の外観斜視図である。
【図３】本発明の実施形態における室内機の説明図であり、室内機の天板を取り外した状態の上面図である。
【図４】本発明の実施形態における、室内機内部での空気の流れとドレン水の流れを説明する図面であり、（Ａ）は室内機内部での空気の流れと上側サブ熱交換部の配置の関係を説明する図面、（Ｂ）は連結部の拡大図であり、ドレン水の流れを説明する図面である。
【発明を実施するための形態】
【００１４】
以下、本発明の実施の形態を、添付図面に基づいて詳細に説明する。尚、本発明は以下の実施形態に限定されることはなく、本発明の主旨を逸脱しない範囲で種々変形することが可能である。
【実施例】
【００１５】
本発明の一実施形態である空気調和機はダクト型空気調和機であり、その室内機１は、図１に示すように建屋天井面１１０と室内天井面１４０の間の空間に設置される。具体的には、一端が建屋天井面１１０に固定された吊下ボルト１２０の他端に室内機１の後述する天板１１に取り付けた取付金具１３０を固定して吊り下げて設置される。室内機１は、屋外に配置された図示しない室外機と冷媒配管で接続されており、室外機と室内機１の間で冷媒を循環させて室内機１が設置された部屋の空気調和を行う。
【００１６】
図２（Ａ）に示すように、室内機１は、各々が鋼板で形成された天板１１、底板１２、前面板１３、背面板１４、右側板１５、および左側板１６で横長の直方体状に形成された筐体１０を有している。尚、以降の説明では、筐体１０における前面板１３が配置されている方向を前方、背面板１４が配置されている方向を後方、天板１１が配置されている方向を上方、底板１２が配置されている方向を下方、右側板１５が配置されている方向を右方、左側板１６が配置されている方向を左方とし、室内機１を構成する各部品においても同様の方向で説明する。
【００１７】
図２（Ｂ）に示すように、筐体１０の内部には、室外機の図示しない圧縮機から吐出された冷媒と室内機１が設置された部屋の空気を熱交換させる熱交換器３０と、熱交換器３０に部屋の空気を送風する送風ファンである２台のシロッコファン２０が収容されている。
【００１８】
筐体１０の背面板１４には、筐体１０の内部に空気を取り込むための筐体吸込口１４ａが設けられている。筐体１０の前面板１３には、筐体１０の内部から空気を吹き出すための筐体吹出口１３ａが設けられている。図１に示すように、筐体吸込口１４ａは吸込ダクト１６０を介して室内天井面１４０に設けられた吸込グリル１７０に接続される。また、筐体吹出口１３ａは吹出ダクト１９０を介して室内天井面１４０に設けられた吹出グリル２００に接続される。
【００１９】
図２（Ｂ）に示すように、筐体１０の内部には、筐体吸込口１４ａ（筐体１０の内部の空気の流れにおける上流側）から筐体吹出口１３ａ（同じく下流側）へと向かう方向に、２台のシロッコファン２０、熱交換器３０が順に配置されている。２台のシロッコファン２０と熱交換器３０の間には、天板１１と底板１２に固定される仕切板１７が設けられており、筐体１０の内部は仕切板１７によってシロッコファン２０を収容する送風機室８０と、熱交換器３０を収容する熱交換器室９０に区分けされている。
【００２０】
図３および図４に示すように、シロッコファン２０は、多数の羽根を備えた筒状の羽根車２３と、羽根車２３を収容する渦巻状のケーシング２１と、羽根車２３の中心に連結されるモータシャフト２２を有するモータ５０を備える。モータ５０は、図３に示すように仕切板１７に固定されたモータブラケット６０に取り付けられて２台のシロッコファン２０の間に配置され、モータ５０の両側から左右に突出したモータシャフト２２を回転させることで２台のシロッコファン２０の各羽根車２３を回転させる。尚、２台のシロッコファンは同じ構成を有するものである。
【００２１】
ケーシング２１の左右側面には、円形状に形成された吸込口２０ａが設けられる。また、ケーシング２１の前方には、略四角形状に形成された吹出口２０ｂが設けられる。
【００２２】
モータ５０の駆動により羽根車２３が図４（Ａ）に示す矢印Ｑの方向に回転すると、吸込口２０ａからケーシング２１の内部に吸い込まれた空気が矢印Ｐで示すようにケーシング２１の内部を流れて、吹出口２０ｂからケーシング２１の外部に吹き出される。このとき、ケーシング２１のケース上面に近い箇所を流れる空気の量が最も多く、羽根車２３の近傍を流れる空気の量はケース上面に近い箇所を流れる空気の量に比べて少なくなる。尚、図４（Ａ）では、流れる空気の量の違いを矢印Ｐの太さの違いで示しており、矢印の太さが細くなる程流れる空気の量が少ないことを示している。
【００２３】
図２（Ｂ）および図４（Ａ）に示すように、仕切板１７には２つの連通穴１７ａが設けられている。仕切板１７にシロッコファン２０を固定するときは、連通穴１７ａにシロッコファン２０の吹出口２０ｂを突き当てて固定する。これにより、シロッコファン２０の吹出口２０ｂａから吹き出された空気が熱交換器室９０へと吹き出される。熱交換器室９０に吹き出された空気は、次に説明する熱交換器３０を通過して、筐体吹出口１３ａへと流れる。尚、以降の説明では、熱交換器室９０におけるシロッコファン２０側を空気の流れの上流側、筐体吹出口１３ａ側を空気の流れ下流側と記載する場合がある。
【００２４】
図２（Ｂ）、図３、および、図４（Ａ）に示すように、熱交換器３０は、上側熱交換部３０ａと、下側熱交換部３０ｂと、本発明におけるサブ熱交換部である上側サブ熱交換部３０ｃと、下側サブ熱交換部３０ｄを有する。上側熱交換部３０ａと下側熱交換部３０ｂは各々が平板状に形成されており、その左右方向の長さが筐体吹出口１３ａの横幅と略等しい。そして、詳細は後述するが、図４（Ａ）に示すように、上側熱交換部３０ａの風下側端部３０ａｅを下側熱交換部３０ｂの空気流入面３０ｂｂに乗り上げるように組み合わせることで、側面視でＶ字状となるように連結されており、その連結部３０ｅが筐体１１の筐体吹出口１３ａ側に突出するように、熱交換器室９０に配置される。
【００２５】
上側サブ熱交換部３０ｃと下側サブ熱交換部３０ｄは各々が平板状に形成されている。図２（Ｂ）に示すように、上側サブ熱交換部３０ｃの左右方向の長さは上側熱交換部３０ａの左右方向の長さと等しく、また、下側サブ熱交換部３０ｄの左右方向の長さは下側熱交換部３０ｂの左右方向の長さと等しい。図４（Ａ）に示すように、上側サブ熱交換部３０ｃの前後方向の長さは上側熱交換部３０ａの前後方向の長さより短く、上側サブ熱交換部３０ｃの厚さは上側熱交換部３０ａの厚さより薄い。下側サブ熱交換部３０ｄの前後方向の長さは下側熱交換部３０ｃの前後方向の長さより短く、下側サブ熱交換部３０ｄの厚さは下側熱交換部３０ｃの厚さより薄い。
【００２６】
上側熱交換部３０ａは、３列×２６段のパス３０ａａと複数枚のフィンを有する。下側熱交換部３０ｂは、３列×２６段のパス３０ｂａと複数枚のフィンを有する。上側サブ熱交換部３０ｃは、１列×１２段のパス３０ｃａと複数枚のフィンを有する。下側サブ熱交換部３０ｄは、１列×１２段のパス３０ｄａと複数枚のフィンを有する。尚、図４（Ａ）では、上述した各パスのうちの一部のみが描かれているとともに、各熱交換部のフィンは図示を省略している。
【００２７】
図示は省略するが、上側熱交換部３０ａのパス３０ａａと上側サブ熱交換部３０ｃのパス３０ｃａは接続されている。また、下側熱交換部３０ｂのパス３０ｂａと下側サブ熱交換部３０ｄのパス３０ｄａは接続されている。このように、上側熱交換部３０ａと下側熱交換部３０ｂと上側サブ熱交換部３０ｃと下側サブ熱交換部３０ｄを組み合わせることによって、室内機１で要求される空調能力を発揮するために必要な熱交換器３０の容量を確保している。
【００２８】
図４（Ａ）に示すように、熱交換器３０が熱交換器室９０に配置されると、上側熱交換部３０ａの送風ファン２０側に臨む面が空気流入面３０ａｂとなり、上側熱交換部３０ａの筐体吹出口１３ａ側に臨む面が空気流出面３０ａｃとなる。上側熱交換部３０ａの送風ファン２０側に配置される端部が上流側端部３０ａｄとなり、上側熱交換部３０ａの筐体吹出口１３ａ側に配置される端部が下流側端部３０ａｅとなる。
【００２９】
また、下側熱交換部３０ｂの送風ファン２０側に臨む面が空気流入面３０ｂｂとなり、下側熱交換部３０ｂの筐体吹出口１３ａ側に臨む面が空気流出面３０ｂｃとなる。下側熱交換部３０ｂの送風ファン２０側に配置される端部が上流側端部３０ｂｄとなり、下側熱交換部３０ｂの筐体吹出口１３ａ側に配置される端部が下流側端部３０ｂｅとなる。
【００３０】
また、上側サブ熱交換部３０ｃの上側熱交換部３０ａの空気流出面３０ａｃに接する面が空気流入面３０ｃｂとなり、上側サブ熱交換部３０ｃの筐体吹出口１３ａ側に臨む面が空気流出面３０ｃｃとなる。上側サブ熱交換部３０ｃの送風ファン２０側に配置される端部が上流側端部３０ｃｄとなり、上側サブ熱交換部３０ｃの筐体吹出口１３ａ側に配置される端部が下流側端部３０ｃｅとなる。
【００３１】
また、下側サブ熱交換部３０ｄの下側熱交換部３０ｂの空気流出面３０ａｃに接する面が空気流入面３０ｄｂとなり、下側サブ熱交換部３０ｄの筐体吹出口１３ａ側に臨む面が空気流出面３０ｄｃとなる。下側サブ熱交換部３０ｄの送風ファン２０側に配置される端部が上流側端部３０ｄｄとなり、下側サブ熱交換部３０ｄの筐体吹出口１３ａ側に配置される端部が下流側端部３０ｄｅとなる。
【００３２】
熱交換器室９０における熱交換器３０の下方には、ドレンパン７０が配置されている。ドレンパン７０は発泡スチロールで形成されており、熱交換器３０が蒸発器として機能する際に熱交換器３０で発生するドレン水を受ける。
【００３３】
次に、主に図４を用いて、本発明の空気調和機の室内機１における、上側サブ熱交換部３０ｃおよび連結部３０ｅの配置と、連結部３０ｅの形状について詳細に説明し、その後、上側サブ熱交換部３０ｃで発生するドレン水が連結部３０ｅをどのように流れるかを説明する。
＜上側サブ熱交換部３０ｃおよび連結部３０ｅの配置＞
【００３４】
まず、上側サブ熱交換部３０ｃおよび連結部３０ｅの配置について説明する。前述したように、シロッコファン２０のケーシング２１の内部では、ケーシング２１のケース上面に近い箇所を流れる空気の量が最も多く、羽根車２３の近傍を流れる空気の量はケース上面に近い箇所を流れる空気の量に比べて少なくなる。これにより、図４（Ａ）に矢印Ｆで示すように、シロッコファン２０の吹出口２０ｂから熱交換器室９０へと吹き出された空気は、上側熱交換部３０ａの前後方向の中央部を通過する空気の量が最も多くなり、連結部３０ｅ付近を通過する空気の量は、上側熱交換部３０ａと上側サブ熱交換部３０ｃが重ねられている箇所を通過する空気の量と比べて少なくなる。つまり、連結部３０ｅは、上側熱交換部３０ａと上側サブ熱交換部３０ｃが重ねられている箇所を通過する空気の量より少ない量の空気が通過する箇所に配置されることになる。尚、図４（Ａ）では、シロッコファン２０から熱交換器室９０へと吹き出された空気の量の違いを矢印Ｆの太さの違いで示しており、矢印の太さが細くなる程流れる空気の量が少ないことを示している。
【００３５】
つまり、上側サブ熱交換部３０ｃは、その前後方向の中心部がシロッコファン２０から熱交換器室９０へと吹き出された空気の量が最も多くなる箇所に合せて配置されて、上側サブ熱交換部３０ｃにおける冷媒と空気の熱交換量が最大となるようになっている。このように、上側サブ熱交換部３０ｃを上側熱交換部３０ａの空気流出面３０ａｃに配置することによって、図４（Ｂ）に示すように、上側熱交換部３０ａの空気流出面３０ａｃの前端部が、上側サブ熱交換部３０ｃが配置されずに筐体吹出口１３ａ側に露出した空気流出面前端部３０ａ１となる。
＜連結部３０ｅ＞
【００３６】
次に、上側熱交換部３０ａと下側熱交換部３０ｂの連結部３０ｅについて説明する。図４に示すように、上側熱交換部３０ａの下流側端部３０ａｅは斜めにカットされた形状であり、下流側端部３０ａｅを下側熱交換部３０ｂの空気流入面３０ｂｂの前方側に接合することで、上側熱交換部３０ａと下側熱交換部３０ｂが連結される。このとき、図４（Ｂ）に示すように、空気流入面３０ｂｂにおける下流側端部３０ｂｅから少し後方（シロッコファン２０側）の位置に、上側熱交換部３０ａの下流側端部３０ａｅの下流側上端３０ａｅ１が位置するように、上側熱交換部３０ａの下流側端部３０ａｅと下側熱交換部３０ｂの空気流入面３０ｂｂを接合する。
【００３７】
以上のように上側熱交換部３０ａと下側熱交換部３０ｂを連結することで、下流側端部３０ａｅと下側熱交換部３０ｂの空気流入面３０ｂｂが接触している箇所が連結部３０ｅとなる。そして、下側熱交換部３０ｂの空気流入面３０ｂｂの前端部には、上側熱交換部３０ａが配置されずに筐体１０の天板１１側に露出した空気流入面前端部３０ｂ１が形成される。このとき、下側熱交換部３０ｂの下流側端部３０ｂｅの下流側上端３０ｂｅ１が、上側熱交換部３０ａの下流側端部３０ａｅの下流側上端３０ａｅ１より上方に位置する。
＜連結部３０ｅでのドレン水の流れ＞
【００３８】
次に、図４（Ｂ）を用いて、上部サブ熱交換器３０ｃで発生したドレン水が連結部３０ｅをどのように流れるのかを説明する。尚、図４（Ｂ）では、ドレン水をＷ、ドレン水Ｗが流れる道程を実線矢印Ｗ１および破線矢印Ｗ２で示しており、以降の説明でもこれら記号を用いて説明する。
【００３９】
空気調和装置が冷房運転を行うときは、室内機１の熱交換器３０が蒸発器として機能するため、熱交換器３０の各熱交換部でドレン水Ｗが発生する。このとき、上側サブ熱交換部３０ｃで発生するドレン水Ｗは、その一部は重力によって下方（上側熱交換部３０ａ）に向かって流れるが、多くのドレン水Ｗは上側サブ熱交換部３０ｃを通過する空気によって上側サブ熱交換部３０ｃのフィンを伝って上流側端部３０ｃｅへ向かって流れる。
【００４０】
上側サブ熱交換部３０ｃの上流側端部３０ｃｅ付近、つまり、連結部３０ｅの付近では、上述したように上側熱交換部３０ａと上側サブ熱交換部３０ｃが重ねられている箇所と比べて、シロッコファン２０から吹き出された空気の量が少ない。これにより、上側サブ熱交換部３０ｃの上流側端部３０ｃｅに到達したドレン水Ｗは、例えば、図４（Ｂ）に実線矢印Ｗ１で示すように、重力によって上側熱交換部３０ａの空気流出面前端部３０ａ１→下側熱交換部３０ｂ→下側サブ熱交換部３０ｄと流れ、下側サブ熱交換部３０ｄの空気流出面３０ｄｃから下方に滴下してドレンパン７０で収集される。尚、図示は省略しているが、上側サブ熱交換部３０ｃで発生したドレン水Ｗのうち、上側熱交換部３０ａ→下側熱交換部３０ｂ→下側サブ熱交換部３０ｄと流れ、下側サブ熱交換部３０ｄの空気流出面３０ｄｃから下方に滴下するものもある。
【００４１】
本実施形態と異なり、上側サブ熱交換部３０ｃの上流側端部３０ｃｅや上側熱交換部３０ａの空気流出面前端部３０ａ１が、シロッコファン２０から熱交換器室９０へと吹き出された空気の量が多くなる箇所に配置された場合は、図４（Ｂ）の破線矢印Ｗ２で示すように、上側サブ熱交換部３０ｃの上流側端部３０ｃｅや空気流出面前端部３０ａ１に到達したドレン水Ｗが、連結部３０ｅ付近を通過する空気によって前方へ飛散する恐れがある。そして、連結部３０ｅから前方へ飛散したドレン水Ｗの一部が、筐体吹出口１３ａを介して図１に示す吹出ダクト１９０に到達してそこに滞留すれば、カビが発生する原因となる。また、筐体吹出口１３ａから吹き出される空気の量が非常に多い場合は、吹出ダクト１９０に到達したドレン水Ｗが吹出ダクト１９０を流れて図１に示す吹出グリル２００から部屋に放出される恐れがある。
【００４２】
しかし、本発明の実施形態のように、上側サブ熱交換部３０ｃの上流側端部３０ｃｅや空気流出面前端部３０ａ１を、シロッコファン２０から熱交換器室９０へと吹き出された空気の量が少ない箇所に配置すれば、上側サブ熱交換部３０ｃの前上流側端部３０ｃｅや空気流出面前端部３０ａ１に到達したドレン水Ｗが、破線矢印Ｗ２のように前方へ飛散せず、実線矢印Ｗ１のように上側サブ熱交換部３０ｃより下方に配置されている各熱交換部を伝って下方に滴下する。従って、ドレン水Ｗが吹出ダクト１９０に滞留してカビが発生する原因となることや、吹出グリル２００から部屋に放出されることを防止できる。
【００４３】
尚、以上説明した実施形態では、上側熱交換部３０ａの下流側端部３０ａｅを下側熱交換部３０ｂの空気流入面３０ｂｂにおける下流側端部３０ｂｅから少し後方に接合することで、下側熱交換部３０ｂの空気流入面３０ｂｂの前端部に空気流入面前端部３０ｂ１を形成しているが、この空気流入面前端部３０ｂ１がなくても、つまり、上側熱交換部３０ａの下流側端部３０ａｅの下流側上端３０ａｅ１と下側熱交換部３０ｂの下側熱交換部３０ｂの下流側端部３０ｂｅの下流側上端３０ｂｅ１が突き合わされて上側熱交換部３０ａと下側熱交換部３０ｂが連結されていても、前述した本実施形態による効果は発揮される。但し、本実施形態のように、空気流入面前端部３０ｂ１が形成されるように上側熱交換部３０ａと下側熱交換部３０ｂを連結すれば、以下のような効果が得られる。
【００４４】
前述したように、空気流入面前端部３０ｂ１が形成されるように上側熱交換部３０ａと下側熱交換部３０ｂを連結すると、下側熱交換部３０ｂの下流側端部３０ｂｅの下流側上端３０ｂｅ１が、上側熱交換部３０ａの下流側端部３０ａｅの下流側上端３０ａｅ１より上方に位置する。従って、上側熱交換部３０ａの上流側端部３０ａｅに到達したドレン水Ｗがさらに前方へと流れるためには、空気流入面前端部３０ｂ１を重力に逆らって昇る必要がある。このため、仮に連結部３０ｅ付近を流れる空気の量が多くなった場合であっても、上側熱交換部３０ａの上流側端部３０ａｅに到達したドレン水Ｗが前方へと流れて空気流入面前端部３０ｂ１の先端から飛散することなく、下側熱交換部３０ｂや下側サブ熱交換部３０ｄを伝って下方に滴下させることができる。
【符号の説明】
【００４５】
１  室内機
１０  筐体
１３ａ  筐体吹出口
１４ａ  筐体吸込口
１７  仕切板
１７ａ  連通穴
２０  シロッコファン
２０ａ  吸込口
２０ｂ  吹出口
２１  ケーシング
２２  モータシャフト
２３  羽根車
３０  熱交換器
３０ａ  上側熱交換部
３０ａ１  空気流出面前端部
３０ａｂ  空気流入面
３０ａｃ  空気流出面
３０ａｄ  上流側端部
３０ａｅ  下流側端部
３０ａｅ１  下流側上端
３０ｂ  下側熱交換部
３０ｂ１  空気流入面前端部
３０ｂｂ  空気流入面
３０ｂｃ  空気流出面
３０ｂｄ  上流側端部
３０ｂｅ  下流側端部
３０ｂｅ１  下流側上端
３０ｃ  上側サブ熱交換部
３０ｃｂ  空気流入面
３０ｃｃ  空気流出面
３０ｃｄ  上流側端部
３０ｃｅ  下流側端部
３０ｄ  下側サブ熱交換部
３０ｄｂ  空気流入面
３０ｄｃ  空気流出面
３０ｄｄ  上流側端部
３０ｄｅ  下流側端部
３０ｅ  連結部
５０  モータ
７０  ドレンパン
８０  送風機室
９０  熱交換器室
１９０  吹出ダクト
２００  吹出グリル
Ｗ  ドレン水
【図１】
2018132220.tif 000003
【図２】
2018132220.tif 000004
【図３】
2018132220.tif 000005
【図４】
2018132220.tif 000006